(57)【特許請求の範囲】
【請求項１】
リレーリンクリソース要素グループを確定する方法であって、
分配されるリソースにおける非ゼロパワーチャネル測定参照信号（ＣＳＩ−ＲＳ）パターン及び／又はゼロパワーＣＳＩ−ＲＳパターン、及び共通参照信号（ＣＲＳ）のパターン及び／又はリソース要素グループが所在のリソースブロックに伝送する復調参照信号（ＤＭＲＳ）のパターンに基づいて、リレーリンクリソース要素グループのサイズを確定し、又は、分配されるリソースにおける非ゼロパワーＣＳＩ−ＲＳパターン及び／又はゼロパワーＣＳＩ−ＲＳパターンに基づいて、リレーリンクリソース要素グループのサイズを確定することと、
前記分配されるリソースがリレーリンク物理ダウンリンク制御チャネルの伝送に用いられ、周波数領域で１つの又は複数の連続或いは離散分布のリソースブロックを含み、時間領域で１つの又は複数の直交周波数分割多重（ＯＦＤＭ）符号を含むこととを含み、
前記分配されるリソースにおける非ゼロパワーＣＳＩ−ＲＳパターン及び／又はゼロパワーＣＳＩ−ＲＳパターンに基づいて前記リソース要素グループのサイズを確定する時、前記非ゼロパワーＣＳＩ−ＲＳ及び／又はゼロパワーＣＳＩ−ＲＳが対応する８ポートのＣＳＩ−ＲＳパターンの数量に基づいて前記リソース要素グループのサイズを確定し、
前記８ポートのＣＳＩ−ＲＳパターンの数量に基づいて前記リソース要素グループのサイズを確定する時、前記分配されるリソースにおけるリソース要素グループは１つのＯＦＤＭ符号内に位置され、もし前記ＯＦＤＭ符号内に非ゼロパワーＣＳＩ−ＲＳ及び／又はゼロパワーＣＳＩ−ＲＳを有し、且つ、
もし前記ＯＦＤＭ符号における非ゼロパワーＣＳＩ−ＲＳパターン及び／又はゼロパワーＣＳＩ−ＲＳに対応する８ポートＣＳＩ−ＲＳパターンが合計で１つである時、前記ＯＦＤＭ符号内の前記リソース要素グループのサイズは６つの連続のリソース要素に確定され、前記６つの連続のリソース要素に４つの使用可能なリソース要素を含み、
もし前記ＯＦＤＭ符号における非ゼロパワーＣＳＩ−ＲＳパターン及び／又はゼロパワーＣＳＩ−ＲＳに対応する８ポートＣＳＩ−ＲＳパターンが合計で２つである時、前記ＯＦＤＭ符号内の前記リソース要素グループのサイズは１２個の連続のリソース要素に確定され、前記１２個の連続のリソース要素に４つの使用可能なリソース要素を含み、
もし前記ＯＦＤＭ符号における非ゼロパワーＣＳＩ−ＲＳパターン及び／又はゼロパワーＣＳＩ−ＲＳに対応する８ポートＣＳＩ−ＲＳパターンが合計で３つである時、前記ＯＦＤＭ符号内にリソース要素グループマッピングがないと確定され、
前記使用可能なリソース要素が前記リソース要素グループのデータマッピングに用いられる、リレーリンクリソース要素グループを確定する方法。
【請求項２】
前記８ポートのＣＳＩ−ＲＳパターンの数量に基づいて前記リソース要素グループのサイズを確定する時は、前記８ポートＣＳＩ−ＲＳパターンにおけるリソース要素がいずれも前記リソース要素グループのデータマッピングに用いない、請求項１に記載の方法。
【請求項３】
前記分配されるリソースのＯＦＤＭ符号に共通参照信号（ＣＲＳ）伝送のみを有する場合に、前記ＯＦＤＭ符号に位置する前記リソース要素グループのサイズは６つの連続のリソース要素に確定され、
前記分配されるリソースのＯＦＤＭ符号にいずれの参照信号の伝送がない場合に、前記ＯＦＤＭ符号に位置する前記リソース要素グループのサイズは４つの連続リソース要素に確定される、請求項１に記載の方法。
【請求項４】
前記リソース要素グループのサイズ及び前記分配されるリソースに基づいてリレーリンクにおけるリソース要素グループの数量を確定することをさらに含む、請求項１〜３のいずれか一項に記載の方法。
【請求項５】
まず時間領域あと周波数領域の順序に応じて、前記リソース要素グループを分配されるリソースにマッピングすることをさらに含む、請求項４に記載の方法。
【請求項６】
リレーリンクリソース要素グループを確定する装置であって、
前記リソース要素グループが所在する直交周波数分割多重（ＯＦＤＭ）符号における非ゼロパワーチャネル測定参照信号（ＣＳＩ−ＲＳ）パターンを取得するように設置される伝送チャネル測定参照信号取得モジュールと、
前記リソース要素グループが所在するＯＦＤＭ符号におけるゼロパワーＣＳＩ−ＲＳの配置情報を取得し、且つ前記配置情報に基づいてゼロパワーＣＳＩ−ＲＳパターンを確定するように設置されるチャネル測定参照信号ミューティング配置取得モジュールと、
前記リソース要素グループが所在するＯＦＤＭ符号の中で伝送する共通参照信号（ＣＲＳ）のパターンを取得するように設置される共通参照信号取得モジュールと、
前記リソース要素グループが所在するリソースブロックの中で伝送する復調参照信号（ＤＭＲＳ）のパターンを取得するように設置される復調参照信号取得モジュールと、
前記リソース要素グループが所在するＯＦＤＭ符号における非ゼロパワーＣＳＩ−ＲＳパターン及び／又はゼロパワーＣＳＩ−ＲＳパターン、及びＣＲＳのパターン及び／又はリソース要素グループが所在のリソースブロックの中で伝送するＤＭＲＳのパターンに基づいて、リソース要素グループのサイズを確定し、又は、リソース要素グループが所在するＯＦＤＭ符号における非ゼロパワーＣＳＩ−ＲＳパターン及び／又はゼロパワーＣＳＩ−ＲＳパターンに基づいて、リソース要素グループのサイズを確定するように設置されるリソース要素グループサイズ確定モジュールとを含み、前記リソース要素グループが所在のＯＦＤＭ符号における非ゼロパワーＣＳＩ−ＲＳパターン及び／又はゼロパワーＣＳＩ−ＲＳパターンに基づいて前記リソース要素グループのサイズを確定する時、前記非ゼロパワーＣＳＩ−ＲＳ及び／又はゼロパワーＣＳＩ−ＲＳが対応する８ポートのＣＳＩ−ＲＳパターンの数量に基づいて前記リソース要素グループのサイズを確定するものであり、
前記リソース要素グループサイズ確定モジュールは、
前記ＯＦＤＭ符号における非ゼロパワーＣＳＩ−ＲＳパターン及び／又はゼロパワーＣＳＩ−ＲＳに対応する８ポートＣＳＩ−ＲＳパターンが合計で１つである時、前記ＯＦＤＭ符号内の前記リソース要素グループのサイズを６つの連続のリソース要素に確定し、前記６つの連続のリソース要素が４つの使用可能なリソース要素を含み、
前記ＯＦＤＭ符号における非ゼロパワーＣＳＩ−ＲＳパターン及び／又はゼロパワーＣＳＩ−ＲＳに対応する８ポートＣＳＩ−ＲＳパターンが合計で２つである時、前記ＯＦＤＭ符号内の前記リソース要素グループのサイズを１２個の連続のリソース要素に確定し、前記１２個の連続のリソース要素が４つの使用可能なリソース要素を含み、
前記ＯＦＤＭ符号における非ゼロパワーＣＳＩ−ＲＳパターン及び／又はゼロパワーＣＳＩ−ＲＳに対応する８ポートＣＳＩ−ＲＳパターンが合計で３つある時、前記ＯＦＤＭ符号内にリソース要素グループマッピングがないと確定するように設置され、
前記使用可能なリソース要素が前記リソース要素グループのデータマッピングに用いられる、リレーリンクリソース要素グループを確定する装置。
【請求項７】
前記リソース要素グループサイズ確定モジュールは、前記８ポートＣＳＩ−ＲＳパターンにおけるリソース要素が前記リソース要素グループのデータマッピングに用いないと確定するように設置される、請求項６に記載の装置。
【請求項８】
前記リソース要素グループサイズ確定モジュールは、
前記分配されるリソースのＯＦＤＭ符号に共通参照信号（ＣＲＳ）伝送のみを有する場合に、前記ＯＦＤＭ符号に位置する前記リソース要素グループのサイズを６つの連続のリソース要素に確定し、
前記分配されるリソースのＯＦＤＭ符号にいずれの参照信号の伝送がない場合に、前記ＯＦＤＭ符号に位置する前記リソース要素グループのサイズを４つの連続リソース要素に確定するように設置される、請求項６に記載の装置。
【発明の詳細な説明】
【技術分野】
【０００１】
本発明は移動通信技術分野に関し、具体的に、リレーリンクリソース要素グループを確定する方法及び装置に関する。
【背景技術】
【０００２】
従来、移動通信の発展要求はより高い伝送レート、より完全な信号カバレッジ及びより高いリソース利用率をサポートできることである。リレー（Ｒｅｌａｙ）技術はカバレッジを増加し及びセルスループットをバランス且つ増加することができ、且つ、リレーノード（Ｒｅｌａｙ Ｎｏｄｅ、ＲＮと略称される）が基地局に比べて、比較的低い配置コストを有するため、リレーは３ＧＰＰ（３ｒｄ Ｇｅｎｅｒａｔｉｏｎ Ｐａｒｔｎｅｒｓｈｉｐ Ｐｒｏｊｅｃｔ、第３世代パートナーシッププロジェクト、３ＧＰＰと略称される）ロングタームエボリューション（Ｌｏｎｇ Ｔｅｒｍ Ｅｖｏｌｕｔｉｏｎ、ＬＴＥと略称され、通常、Ｒｅｌｅａｓｅ ８又はＲｅｌｅａｓｅ ９プロトコルバージョンと指し、Ｒｅｌ−８又はＲｅｌ−９と略称される）のエボリューションシステム−ロングタームエボリューションアドバンストシステム（ＬＴＥ−Ａｄｖａｎｃｅｄ、ＬＴＥ−Ａと略称され、通常、Ｒｅｌｅａｓｅ １０プロトコルバージョンと指し、Ｒｅｌ−１０と略称される）におけるキー技術とみなされる。
【０００３】
ＬＴＥ／ＬＴＥ−ＡシステムダウンリンクはＯＦＤＭ（Ｏｒｔｈｏｇｏｎａｌ Ｆｒｅｑｕｅｎｃｙ Ｄｉｖｉｓｉｏｎ Ｍｕｌｔｉｐｌｅｘｉｎｇ、直交周波数分割多重）技術を基礎とする。ＯＦＤＭシステムにおいて、通信リソースは時間−周波数二次元の形式である。
【０００４】
ＬＴＥ／ＬＴＥ−Ａシステムにおいて、ダウンリンクの通信リソースは時間領域にフレーム（ｆｒａｍｅ）を単位として分割し、図１に示すように、各無線フレーム（ｒａｄｉｏ ｆｒａｍｅ）は長さが１０ ｍｓで、１０個の長さが１ ｍｓのサブフレーム（ｓｕｂ−ｆｒａｍｅ）を含む。図２に示すように、各サブフレームは時間領域にまた２つのスロット（ｓｌｏｔ）に分けられる。異なるＣＰ（Ｃｙｃｌｉｃ Ｐｒｅｆｉｘ、サイクリックプレフィックス、ＣＰと略称される）長さに基づいて、各サブフレームは１４個或いは１２個のＯＦＤＭ符号を含む可能である。サブフレームは通常ＣＰ（Ｎｏｒｍａｌ ＣＰ）長さを採用する時、サブフレーム内に１４個のＯＦＤＭ符号を含み、各スロットが７つの符号を有し、サブフレームは拡張ＣＰ（Ｅｘｔｅｎｄｅｄ ＣＰ）長さを採用する時、サブフレーム内に１２個のＯＦＤＭ符号を含み、各スロットが６個の符号を有する。
【０００５】
ＬＴＥ／ＬＴＥ−Ａシステムにおいて、ダウンリンクの通信リソースは周波数領域に、リソースはサブキャリア（ｓｕｂ−ｃａｒｒｉｅｒ）を単位として分割し、具体的に通信において、リソース分配の最小単位がＲＢ（Ｒｅｓｏｕｒｃｅ Ｂｌｏｃｋ、リソースブロック）であり、物理リソースの１つのＰＲＢ（Ｐｈｙｓｉｃａｌ ＲＢ、物理リソースブロック）に対応する。図２に示すように、１つのＰＲＢは周波数領域で１２個のサブキャリアを含み、時間領域で１つのスロットに対応する。サブフレーム内の時間領域が隣接する２つのＲＢはＲＢ対と称される。各ＯＦＤＭ符号上におけ１つのサブキャリアに対応するリソースはリソース要素（Ｒｅｓｏｕｒｃｅ Ｅｌｅｍｅｎｔ、ＲＥと略称される）と称される。
【０００６】
図２に示すように、通常ＣＰ長さの下での１つの物理リソース構成が与えられた。以下、特別に説明しないと、通常ＣＰ長さの時、サブフレームにおけるＯＦＤＭ符号の番号は０−１３で、スロットにおけるＯＦＤＭ符号の番号は０−６であり、拡張ＣＰ長さの時、サブフレームにおけるＯＦＤＭ符号の番号は０−１１で、スロットにおけるＯＦＤＭ符号の番号は０−５である。
【０００７】
リレー局を導入した後、データの伝送に１ホップが多くなると相当する。２ホップシステムを例として、元の基地局−端末の通信モードが基地局−リレー局−端末の通信モードになり、そのうち、基地局−リレー局リンクがバックホール リンク（ｂａｃｋｈａｕｌ ｌｉｎｋ、又はＵｎインターフェースと称される）と称され、リレー局−端末リンクがアクセスリンク（ａｃｃｅｓｓ ｌｉｎｋ、又はＵｕインターフェースと称される）と称され、基地局−端末リンクが直接リンク（ｄｉｒｅｃｔ ｌｉｎｋ）と称される。マルチホップシステムにおいて、一部の端末はリレー局にアクセスし、リレー局によって通信業務を完成する。
【０００８】
リレー局を導入した後、端末に対する後方互換性を保証する必要があり、即ち前のバージョンの端末（例えばＬＴＥ Ｒｅｌｅａｓｅ−８であり、Ｒｅｌ−８と略称される）もＬＴＥ−Ａシステムのリレー局にアクセスできることを保証し、この時、リレー局従属端末の通信に影響しない前提で、一部のリソースを分割して基地局とリレー局の間の通信を確保する必要がある。従来、ＬＴＥ−Ａシステムにおいて基地局−リレー局通信とリレー局−端末通信を確定するのは時分割方式で行い、具体的に、ダウンリンクサブフレームから一部を分割して基地局−リレー局通信に用い、これらのサブフレームはリレー（Ｒｅｌａｙ）サブフレーム（或いはＵｎサブフレームと称される）と称される。リレー局の従属Ｒｅｌ−８端末に対して、リレー（Ｒｅｌａｙ）サブフレームがＭＢＳＦＮ（Ｍｕｌｔｉｃａｓｔ Ｂｒｏａｄｃａｓｔ Ｓｉｎｇｌｅ Ｆｒｅｑｕｅｎｃｙ Ｎｅｔｗｏｒｋ、マルチキャストブロードキャスト単一周波数ネットワーク、ＭＢＳＦＮと略称される）サブフレームに指示され、それによってＲｅｌ−８端末はこれらのサブフレームをスキップすることができ、基地局−リレー局通信を完成するとともに、Ｒｅｌ−８端末に対する後方互換性を保証する。ＬＴＥ−Ａシステムにおいて、リレー（Ｒｅｌａｙ）サブフレームの構成は図３に示す。
【０００９】
リレーノード（Ｒｅｌａｙ Ｎｏｄｅ）はリレーサブフレームの前１つ又は２つのＯＦＤＭ符号で従属端末に制御情報を送信し、その後、送信状態から受信状態に切り替える変換時間間隔を経て、基地局からリレーリンクダウンリンクデータ情報を受信する。リレー局は基地局から送信されたＰＤＣＣＨ（Ｐｈｙｓｉｃａｌ Ｄｏｗｎｌｉｎｋ Ｃｏｎｔｒｏｌ Ｃｈａｎｎｅｌ、物理ダウンリンク制御チャネル、ＰＤＣＣＨと略称される）を受信できないため、リレーリンクに改めて１つの物理チャネルＲ−ＰＤＣＣＨ（Ｒｅｌａｙ−ＰＤＣＣＨ、リレーリンクＰＤＣＣＨ）を定義してリレーリンクダウンリンク制御情報の伝送に用いる必要がある。
【００１０】
従来、３ＧＰＰ ＬＴＥ−Ａ関連技術の検討において、Ｒ−ＰＤＣＣＨの詳細課題に関する検討、例えばリソース要素グループＲＥＧ等は、まだ十分に展開していない。従って、どのように有効なリレーリンク物理ダウンリンク制御チャネル（Ｒ−ＰＤＣＣＨ）を生成するＲＥＧを確定するかは解決に必要な技術課題になっている。
【発明の概要】
【発明が解決しようとする課題】
【００１１】
本発明が解決しようとする技術課題は、リレーリンクリソース要素グループを確定する方法及び装置を提供することであり、従来リレーリンクリソース要素グループを後方互換できなく、リレーリンクダウンリンク制御情報の送信を実現できない問題を解決することに用いられる。
【課題を解決するための手段】
【００１２】
上記技術課題を解決するために、本発明はリレーリンクリソース要素グループを確定する方法を提供し、
分配されるリソースにおける非ゼロパワーチャネル測定参照信号（ＣＳＩ−ＲＳ）パターン及び／又はゼロパワーＣＳＩ−ＲＳパターン、及び共通参照信号（ＣＲＳ）のパターン及び／又はリソース要素グループが所在のリソースブロックに伝送する復調参照信号（ＤＭＲＳ）のパターンに基づいて、リレーリンクリソース要素グループのサイズを確定し、又は、分配されるリソースにおける非ゼロパワーＣＳＩ−ＲＳパターン及び／又はゼロパワーＣＳＩ−ＲＳパターンに基づいて、リレーリンクリソース要素グループのサイズを確定することと、
前記分配されるリソースがリレーリンク物理ダウンリンク制御チャネルの伝送に用いられ、周波数領域で１つの又は複数の連続或いは離散分布のリソースブロックを含み、時間領域で１つの又は複数の直交周波数分割多重（ＯＦＤＭ）符号を含むこととを含み、
前記分配されるリソースにおける非ゼロパワーＣＳＩ−ＲＳパターン及び／又はゼロパワーＣＳＩ−ＲＳパターンに基づいて前記リソース要素グループのサイズを確定する時、前記非ゼロパワーＣＳＩ−ＲＳ及び／又はゼロパワーＣＳＩ−ＲＳが対応する８ポートのＣＳＩ−ＲＳパターンの数量に基づいて前記リソース要素グループのサイズを確定し、
前記８ポートのＣＳＩ−ＲＳパターンの数量に基づいて前記リソース要素グループのサイズを確定する時、前記分配されるリソースにおけるリソース要素グループは１つのＯＦＤＭ符号内に位置され、もし前記ＯＦＤＭ符号内に非ゼロパワーＣＳＩ−ＲＳ及び／又はゼロパワーＣＳＩ−ＲＳを有し、且つ、
もし前記ＯＦＤＭ符号における非ゼロパワーＣＳＩ−ＲＳパターン及び／又はゼロパワーＣＳＩ−ＲＳに対応する８ポートＣＳＩ−ＲＳパターンが合計で１つである時、前記ＯＦＤＭ符号内の前記リソース要素グループのサイズは６つの連続のリソース要素に確定され、前記６つの連続のリソース要素に４つの使用可能なリソース要素を含み、
もし前記ＯＦＤＭ符号における非ゼロパワーＣＳＩ−ＲＳパターン及び／又はゼロパワーＣＳＩ−ＲＳに対応する８ポートＣＳＩ−ＲＳパターンが合計で２つである時、前記ＯＦＤＭ符号内の前記リソース要素グループのサイズは１２個の連続のリソース要素に確定され、前記１２個の連続のリソース要素に４つの使用可能なリソース要素を含み、
もし前記ＯＦＤＭ符号における非ゼロパワーＣＳＩ−ＲＳパターン及び／又はゼロパワーＣＳＩ−ＲＳに対応する８ポートＣＳＩ−ＲＳパターンが合計で３つである時、前記ＯＦＤＭ符号内にリソース要素グループマッピングがないと確定され、
前記使用可能なリソース要素が前記リソース要素グループのデータマッピングに用いられる。
【００１４】
選択可能的に、前記８ポートのＣＳＩ−ＲＳパターンの数量に基づいて前記リソース要素グループのサイズを確定する時は、前記８ポートＣＳＩ−ＲＳパターンにおけるリソース要素がいずれも前記リソース要素グループのデータマッピングに用いない。
【００１５】
選択可能的に、
前記分配されるリソースのＯＦＤＭ符号に共通参照信号（ＣＲＳ）伝送のみを有する場合に、前記ＯＦＤＭ符号に位置する前記リソース要素グループのサイズは６つの連続のリソース要素に確定され、
前記分配されるリソースのＯＦＤＭ符号にいずれの参照信号の伝送がない場合に、前記ＯＦＤＭ符号に位置する前記リソース要素グループのサイズは４つの連続リソース要素に確定される。
【００１７】
選択可能的に、上記方法はさらに、
前記リソース要素グループのサイズ及び前記分配されるリソースに基づいてリレーリンクにおけるリソース要素グループの数量を確定することを含む。
【００１８】
選択可能的に、上記方法はさらに、
まず時間領域後周波数領域の順序に応じて、前記リソース要素グループを分配されるリソースにマッピングすることを含む。
【００２０】
本発明はさらにリレーリンクリソース要素グループを確定する装置を提供し、
前記リソース要素グループが所在する直交周波数分割多重（ＯＦＤＭ）符号における非ゼロパワーチャネル測定参照信号（ＣＳＩ−ＲＳ）パターンを取得するように設置される伝送チャネル測定参照信号取得モジュールと、
前記リソース要素グループが所在するＯＦＤＭ符号におけるゼロパワーＣＳＩ−ＲＳの配置情報を取得し、且つ前記配置情報に基づいてゼロパワーＣＳＩ−ＲＳパターンを確定するように設置されるチャネル測定参照信号ミューティング配置取得モジュールと、
前記リソース要素グループが所在するＯＦＤＭ符号の中で伝送する共通参照信号（ＣＲＳ）のパターンを取得するように設置される共通参照信号取得モジュールと、
前記リソース要素グループが所在するリソースブロックの中で伝送する復調参照信号（ＤＭＲＳ）のパターンを取得するように設置される復調参照信号取得モジュールと、
前記リソース要素グループが所在するＯＦＤＭ符号における非ゼロパワーＣＳＩ−ＲＳパターン及び／又はゼロパワーＣＳＩ−ＲＳパターン、及びＣＲＳのパターン及び／又はリソース要素グループが所在のリソースブロックの中で伝送するＤＭＲＳのパターンに基づいて、リソース要素グループのサイズを確定し、又は、リソース要素グループが所在するＯＦＤＭ符号における非ゼロパワーＣＳＩ−ＲＳパターン及び／又はゼロパワーＣＳＩ−ＲＳパターンに基づいて、リソース要素グループのサイズを確定するように設置されるリソース要素グループサイズ確定モジュールとを含み、前記リソース要素グループが所在のＯＦＤＭ符号における非ゼロパワーＣＳＩ−ＲＳパターン及び／又はゼロパワーＣＳＩ−ＲＳパターンに基づいて前記リソース要素グループのサイズを確定する時、前記非ゼロパワーＣＳＩ−ＲＳ及び／又はゼロパワーＣＳＩ−ＲＳが対応する８ポートのＣＳＩ−ＲＳパターンの数量に基づいて前記リソース要素グループのサイズを確定するものであり、
前記リソース要素グループサイズ確定モジュールは、
前記ＯＦＤＭ符号における非ゼロパワーＣＳＩ−ＲＳパターン及び／又はゼロパワーＣＳＩ−ＲＳに対応する８ポートＣＳＩ−ＲＳパターンが合計で１つである時、前記ＯＦＤＭ符号内の前記リソース要素グループのサイズを６つの連続のリソース要素に確定し、前記６つの連続のリソース要素が４つの使用可能なリソース要素を含み、
前記ＯＦＤＭ符号における非ゼロパワーＣＳＩ−ＲＳパターン及び／又はゼロパワーＣＳＩ−ＲＳに対応する８ポートＣＳＩ−ＲＳパターンが合計で２つである時、前記ＯＦＤＭ符号内の前記リソース要素グループのサイズを１２個の連続のリソース要素に確定し、前記１２個の連続のリソース要素が４つの使用可能なリソース要素を含み、
前記ＯＦＤＭ符号における非ゼロパワーＣＳＩ−ＲＳパターン及び／又はゼロパワーＣＳＩ−ＲＳに対応する８ポートＣＳＩ−ＲＳパターンが合計で３つある時、前記ＯＦＤＭ符号内にリソース要素グループマッピングがないと確定するように設置され、
前記使用可能なリソース要素が前記リソース要素グループのデータマッピングに用いられる。
【００２２】
選択可能的に、前記リソース要素グループサイズ確定モジュールは、前記８ポートＣＳＩ−ＲＳパターンにおけるリソース要素が前記リソース要素グループのデータマッピングに用いないと確定するように設置される。
【００２３】
選択可能的に、前記リソース要素グループサイズ確定モジュールは、
前記分配されるリソースのＯＦＤＭ符号に共通参照信号（ＣＲＳ）伝送のみを有する場合に、前記ＯＦＤＭ符号に位置する前記リソース要素グループのサイズを６つの連続のリソース要素に確定し、
前記分配されるリソースのＯＦＤＭ符号にいずれの参照信号の伝送がない場合に、前記ＯＦＤＭ符号に位置する前記リソース要素グループのサイズを４つの連続リソース要素に確定するように設置される。
【発明の効果】
【００２５】
上記のリレーリンクリソース要素グループを確定する方法及び装置、及び確定したリソース要素グループに対するマッピング方法は、リレーリンクリソース要素グループの確定とマッピング問題を解決し、リレーリンクがダウンリンク制御情報を伝送する時、直接に前記ＲＥＧに応じて制御情報をベアリングすればよい。本発明に記述するＲＥＧ設計はリレーリンクにＣＲＳ、ＣＳＩ−ＲＳ及びＤＭＲＳが存在する時のＲＥＧの設計を十分に考慮し、且つ従来のプロトコルへの変更が小さく、よりよい後方互換性を有し、リレーリンクダウンリンク制御情報の送信問題を解決することができる。
【図面の簡単な説明】
【００２６】
【図１】はＬＴＥ／ＬＴＥ−Ａシステムフレーム構成の模式図である。
【図２】はＬＴＥ／ＬＴＥ−Ａシステムリソースブロック構成の模式図である。
【図３】はＬＴＥ−Ａシステムダウンリンクリレーサブフレーム（Ｕｎサブフレーム）の模式図である。
【図４】はＬＴＥ−Ａシステム通常ＣＰ長さ時の８ポートＣＳＩ−ＲＳパターンである。
【図５】はＬＴＥ−Ａシステム通常ＣＰ長さ時の４ポートＣＳＩ−ＲＳパターンである。
【図６】はＬＴＥ−Ａシステム拡張ＣＰ長さ時の８ポートと４ポートＣＳＩ−ＲＳパターンである。
【図７】はＬＴＥ／ＬＴＥ−Ａシステム通常ＣＰと拡張ＣＰのＤＭＲＳパターンである。
【図８】は本発明の実施例１に係るＲＥＧ設計模式図である。
【図９】は本発明の実施例２に係るＲＥＧ設計模式図である。
【図１０】は本発明の実施例２に係るＲＥＧ設計模式図である。
【図１１】は本発明の実施例２に係るＲＥＧ設計模式図である。
【図１２】は本発明の実施例３に係るＲＥＧ設計模式図である。
【図１３】は本発明の実施例３に係るＲＥＧ設計模式図である。
【図１４】は本発明の実施例４に係るＲＥＧ設計模式図である。
【図１５】は本発明の実施例４に係るＲＥＧ設計模式図である。
【図１６】は本発明の実施例４に係るＲＥＧ設計模式図である。
【図１７】は本発明の実施例４に係るＲＥＧ設計模式図である。
【図１８】は本発明の実施例４に係るＲＥＧ設計模式図である。
【図１９】は本発明の実施例４に係るＲＥＧ設計模式図である。
【図２０】は本発明の実施例５に係るＲＥＧマッピングの模式図である。
【発明を実施するための形態】
【００２７】
以下、図面を参照しながら、本発明の実施例を詳しく説明する。ただし、衝突しない場合に、本出願における実施例及び実施例の中の特徴は任意に互いに組み合せることができる。
【００２８】
ＬＴＥ／ＬＴＥ−Ａシステムにおいて、１つのＰＤＣＣＨは１つ或いはいくつかの連続のＣＣＥ（Ｃｏｎｔｒｏｌ Ｃｈａｎｎｅｌ Ｅｌｅｍｅｎｔ、制御チャンネル要素、ＣＣＥと略称される）に伝送し、且つ１つのサブフレーム内のＣＣＥはインターリービングした後リソースマッピングを行う。ＣＣＥがインターリービングする要素はＲＥＧ（Ｒｅｓｏｕｒｃｅ Ｅｌｅｍｅｎｔ Ｇｒｏｕｐ、リソース要素グループ、ＲＥＧと略称される）であり、共通参照信号（Ｃｅｌｌ−ｓｐｅｃｉｆｉｃ Ｒｅｆｅｒｅｎｃｅ Ｓｉｇｎａｌ、セル固有参照信号、或いは共通参照信号と称され、ＣＲＳと略称される）の伝送情況によって、ＲＥＧのサイズは４つの或いは６つの連続のＲＥであり、各ＲＥＧに４つの有効なＲＥを含む。
【００２９】
Ｒ−ＰＤＣＣＨの伝送リソースはＲｅｌ−８システムの業務ドメインに位置するため、Ｒｅｌ−１０に検討された新な最大に８ポートまでのチャネル状態情報参照信号（Ｃｈａｎｎｅｌ Ｓｔａｔｅ Ｉｎｆｏｒｍａｔｉｏｎ Ｒｅｆｅｒｅｎｃｅ Ｓｉｇｎａｌ、或いはチャネル測定参照信号、ＣＳＩ−ＲＳと略称される）がＲ−ＰＤＣＣＨドメインに位置する可能性があり、ひいては復調参照信号（Ｄｅｍｏｄｕｌａｔｉｏｎ Ｒｅｆｅｒｅｎｃｅ Ｓｉｇｎａｌ、ＤＭＲＳと略称され、ＵＥ−ｓｐｅｃｉｆｉｃ ＲＳ、ＵＥ固有参照信号も称される）がＲ−ＰＤＣＣＨドメインに位置する可能性もある。上記原因のため、Ｒ−ＰＤＣＣＨのＲＥＧの設計と伝送は直接に従来のＰＤＣＣＨのＲＥＧ設計と伝送方法をそのまま使用できないことを引き起こす可能性がある。
【００３０】
リレーリンクリソース要素グループ（ＲＥＧ）の設計はＲｅｌ−８バージョンにおけるＰＤＣＣＨのＲＥＧ設計と異なり、リレーリンクのＲＥＧにその特別なところがあり、例えはＣＳＩ−ＲＳの伝送、ＤＭＲＳ伝送等を考慮する必要がある。本発明のＲＥＧ設計方法は従来のプロトコルへの変更が小さく、リレーリンクがダウンリンク制御情報を伝送する時、直接に前記確定したＲＥＧに応じて制御情報のベアリングを行えばよい。
【００３１】
Ｒｅｌ−１０に、チャネル測定参照信号（ＣＳＩ−ＲＳ）を導入し、主にダウンリンクチャネル状況の測定に用いる。従来確定された、サブフレームが普通サイクリックプレフィックス（ｎｏｒｍａｌ ＣＰ）を有する時の４ポートと８ポートＣＳＩ−ＲＳの１つのＲＢ対でのパターン（ｐａｔｔｅｒｎ）はそれぞれ図４と図５に示す。図４と図５での同一の数字番号は同一のＣＳＩ−ＲＳパターンを代表し、即ち、
４ポートの時、合計で１６個のＣＳＩ−ＲＳパターン（番号１〜１６）をサポートし、図５に示し、
８ポートの時、合計で８つのＣＳＩ−ＲＳパターン（番号１〜８）をサポートし、図４に示す。
【００３２】
図４と図５では、破線間隔の左側部分に示すＣＳＩ−ＲＳパターンはＦＤＤ（周波数分割複信、Ｆｒｅｑｕｅｎｃｙ Ｄｉｖｉｓｉｏｎ Ｄｕａｌ、ＦＤＤと略称される）とＴＤＤ（時分割複信、Ｔｉｍｅ Ｄｉｖｉｓｉｏｎ Ｄｕａｌ、ＴＤＤと略称される）システムのいずれもがサポートすべきパターンであり、破線間隔の右側部分はＴＤＤシステムが必ずサポートするパターンで、ＦＤＤに対して選択可能である。
【００３３】
拡張サイクリックプレフィックスの長さ下のＣＳＩ−ＲＳパターンは図６に示すように、破線間隔の左側部分が８アンテナポートのＣＳＩ−ＲＳパターンで、右側部分が４アンテナポートのＣＳＩ−ＲＳパターンである。そのうち、７、８個のＯＦＤＭ符号におけるパターン（即ち８ポート時のＣＳＩ−ＲＳパターン５〜７と４ポート時のＣＳＩ−ＲＳパターン９〜１４）がＦＤＤに対して選択可能で、ＴＤＤに対して必ず選択し、他のパターンがＦＤＤとＴＤＤのいずれかに対して必ず選択するものである。
【００３４】
ＣＳＩ−ＲＳにより送信されるサブフレーム位置は配置でき、送信サブフレーム内に、ＣＳＩ−ＲＳは全帯域幅伝送する。隣接するセルにより送信されるＣＳＩ−ＲＳの間の干渉を避けるために、一般的に、隣接するセルが異なるＣＳＩ−ＲＳパターンを使用するように配置してＣＳＩ−ＲＳの伝送を行う。図４に示す通常ＣＰ長さを例として、セル１とセル２が隣接し且つＣＳＩ−ＲＳがいずれも８ポート伝送であると仮定し、セル１が図４での破線間隔の左側部分のＣＳＩ−ＲＳパターン１を使用するように、セル２が左側部分のＣＳＩ−ＲＳパターン２を使用するように配置され、このようにして、２つのセルにはＣＳＩ−ＲＳの相互干渉がない。しかし、ある特別な技術を採用するため、異なるセルのＣＳＩ−ＲＳが異なるリソース位置に位置することのみを保証すると、ＣＳＩ−ＲＳの伝送が干渉されないことを保証できない可能性があり、この時ミューティング（ｍｕｔｉｎｇ）処理を行う必要がある。いわゆるｍｕｔｉｎｇは、セル１があるＲＥところでいずれの情報を送信しないように配置されたが、これらのＲＥはセル２がＣＳＩ−ＲＳを伝送する位置である可能性があることを指す。一般的に、具体的なｍｕｔｉｎｇのＲＥはＣＳＩ−ＲＳパターンで表れ、ゼロパワー（zｅｒｏ ｐｏｗｅｒ）ＣＳＩ−ＲＳも称され、相応的に伝送するＣＳＩ−ＲＳが非ゼロパワー（ｎｏｎ−zｅｒｏ）ＣＳＩ−ＲＳと称される。例えばセル１が図５のＣＳＩ−ＲＳパターン２に対応するＲＥところでｍｕｔｉｎｇするように配置される。ｍｕｔｉｎｇが配置される時、同時に複数のＣＳＩ−ＲＳのパターンに対応するＲＥところに対してｍｕｔｉｎｇを行うように配置することができる。従来にリレーリンクの制御情報が伝送する時にｍｕｔｉｎｇ参加するかどうかを検討していない。
【００３５】
図４−図６に示すＣＳＩ−ＲＳパターンは８ポートと４ポートが伝送する時のＣＳＩ−ＲＳパターンである。従来ＣＳＩ−ＲＳは１、２、４、８アンテナポートの配置をサポートする。配置するＣＳＩ−ＲＳポート数は４より小さいと、ネストするパターンを採用し、即ち、ＣＳＩ−ＲＳが、２ポートが送信するように配置されれば、２ポートのＣＳＩ−ＲＳは４ポートパターンのうちの２つのポートに対応するリソースところで送信し、図に示す４ポートと８ポートのＣＳＩ−ＲＳパターン関係と同様に、パターンの数が倍増し、例えば通常ＣＰの時、４ポートＣＳＩ−ＲＳパターンが１６個であり、２ポートのＣＳＩ−ＲＳパターンが３２個である。１つのポートのＣＳＩ−ＲＳパターンは２ポートＣＳＩ−ＲＳパターンと同じである。ＣＳＩ−ＲＳパターンにおけるＣＳＩ−ＲＳを伝送しないＲＥはデータの伝送に用いられる。
【００３６】
同時に、Ｒｅｌ−１０にさらに復調参照信号ＤＭＲＳ（Ｄｅｍｏｄｕｌａｔｉｏｎ Ｒｅｆｅｒｅｎｃｅ Ｓｉｇｎａｌ、ＵＥ−ｓｐｅｃｉｆｉｃ ＲＳも称される）を導入し、主に業務データ伝送の復調に用いられる。リレーリンクに対して、従来確定された、サブフレームが通常ＣＰ長さを採用する時のＤＭＲＳパターンは図７における破線左側部分に示す。通常ＣＰ長さの情況に対して、伝送層の数が２の以下である時、図における
0005759554.tif 000002
充填或いは
0005759554.tif 000003
充填で表されるＤＭＲＳパターンを使用し、伝送層の数が２より大きい時、同時にこの２種類のパターンを採用する。即ち、伝送層の数が２の以下である時、ＤＭＲＳのオーバーヘッドは各ＲＢ対で１２個のＲＥで、２より大きい時、各ＲＢ対で２４個のＲＥである。Ｒｅｌ−１０において、拡張ＣＰの下でＤＭＲＳは最大両層伝送のみをサポートし、図７での破線右側部分に示す。一般的に、ＤＭＲＳは業務スケジューリングがあるＲＢのみで伝送する。なお、リレー局がダウンリンクリレーサブフレームの最後の１つのＯＦＤＭ符号を受信できない時、リレーリンクのＤＭＲＳは第２のスロットでマッピングしない。
【００３７】
リレーリンク物理ダウンリンク制御チャネル（Ｒ−ＰＤＣＣＨ）に対して、その伝送周波数領域位置は一般的にシステム帯域幅の一部だけである。且つ、ダウンリンク業務伝送をスケジューリングするためのダウンリンクグラント情報（Ｄｏｗｎｌｉｎｋ ｇｒａｎｔ、ＤＬ ｇｒａｎｔと略称される）に対して、それはサブフレームの第１のスロットのみで伝送し、アップリンク業務伝送をスケジューリングするためのアップリンクグラント情報（Ｕｐｌｉｎｋ ｇｒａｎｔ、ＵＬ ｇｒａｎｔと略称される）はサブフレームの第２のスロットのみで伝送する。本実施形態において、リレーリンクリソース要素グループ（ＲＥＧ）を設計する時、それを１つのＯＦＤＭ符号内に位置するように制限でき、且つ同一のＲＥＧが周波数領域でＲＢを跨がなく、リレーリンク制御情報マッピングと受信端処理の簡単さを保証する。同時に、本実施形態のリレーリンクＲＥＧの設計は１つのＲＥＧが４つのＲＥのデータをマッピングできるのを保証することができて、Ｒｅｌ−８システムとの互換性を保証する。
【００３８】
上記の分析に基づいて、本発明のリレーリンクリソース要素グループを確定する方法が得られ、
分配されるリソースにおける非ゼロパワーチャネル測定参照信号（ＣＳＩ−ＲＳ）パターン、及び／又はゼロパワーチャネル測定参照信号パターン、及び／又は共通参照信号（ＣＲＳ）のパターン、及び／又はリソース要素グループが所在のリソースブロックに伝送する復調参照信号（ＤＭＲＳ）のパターンに基づいて、リレーリンクリソース要素グループのサイズを確定することと、
前記分配されるリソースをリレーリンク物理ダウンリンク制御チャネルの伝送に用い、周波数領域にいくつかの連続或いは離散に分布するリソースブロックを含み、時間領域にいくつかの直交周波数分割多重（ＯＦＤＭ）符号を含むこととを含む。
【００３９】
前記分配されるリソースにおける非ゼロパワーＣＳＩ−ＲＳパターン、及び／又はゼロパワーＣＳＩ−ＲＳパターンに基づいて、前記リソース要素グループのサイズを確定する時、いずれも８ポートのＣＳＩ−ＲＳパターンに応じて前記リソース要素グループのサイズを確定する。
【００４０】
前記分配されるリソースのＯＦＤＭ符号に伝送するのは共通参照信号（ＣＲＳ）のみがある場合に、前記ＯＦＤＭ符号に位置する前記リソース要素グループのサイズは６つの連続のリソース要素に確定され、前記分配されるリソースのＯＦＤＭ符号にいずれの参照信号の伝送がない場合に、前記ＯＦＤＭ符号に位置する前記リソース要素グループのサイズは４つの連続リソース要素に確定される。
【００４１】
前記分配されるリソースが所在のサブフレームに普通サイクリックプレフィックス長さを有し且つ前記分配されるリソースのリソースブロックに伝送する復調参照信号（ＤＭＲＳ）がある時、前記リソースブロックに伝送するＤＭＲＳがあるＯＦＤＭ符号における前記リソース要素グループのサイズは実際に伝送するＤＭＲＳパターンに応じて確定され、或いはシングルユーザの４層伝送時のＤＭＲＳパターンに応じて確定され、
前記分配されるリソースが所在のサブフレームに拡張サイクリックプレフィックス長さを有し且つ前記分配されるリソースのリソースブロックに伝送する復調参照信号（ＤＭＲＳ）がある時、前記リソースブロックに伝送するＤＭＲＳがあるＯＦＤＭ符号における前記リソース要素グループのサイズは実際に伝送するＤＭＲＳパターンに応じて確定される。
【００４２】
全部で８ポートのチャネル測定参照信号（ＣＳＩ−ＲＳ）パターンに応じて該リソース要素グループのサイズを確定する時、前記分配されるリソースにおけるリソース要素グループは１つのＯＦＤＭ符号内に位置し、前記ＯＦＤＭ符号内に非ゼロパワーＣＳＩ−ＲＳ伝送及び／又はゼロパワーＣＳＩ−ＲＳがある時、且つ、
前記ＯＦＤＭ符号における非ゼロパワーＣＳＩ−ＲＳパターン及び／又はゼロパワーＣＳＩ−ＲＳに対応する８ポートＣＳＩ−ＲＳパターンが合計で１つある時、前記ＯＦＤＭ符号内の前記リソース要素グループのサイズは６つの連続のリソース要素に確定され、前記６つの連続のリソース要素に４つの使用可能なリソース要素を含み、
前記ＯＦＤＭ符号における非ゼロパワーＣＳＩ−ＲＳパターン及び／又はゼロパワーＣＳＩ−ＲＳに対応する８ポートＣＳＩ−ＲＳパターンが合計で２つある時、前記ＯＦＤＭ符号内の前記リソース要素グループのサイズは１２個の連続のリソース要素に確定され、前記１２個の連続のリソース要素に４つの使用可能なリソース要素を含み、
前記ＯＦＤＭ符号における非ゼロパワーＣＳＩ−ＲＳパターン及び／又はゼロパワーＣＳＩ−ＲＳに対応する８ポートＣＳＩ−ＲＳパターンが合計で３つある時、前記ＯＦＤＭ符号内にリソース要素グループマッピングがないと確定される。
【００４３】
前記分配されるリソースに伝送する復調参照信号（ＤＭＲＳ）があり、且つ前記復調参照信号を伝送するＯＦＤＭ符号に非ゼロパワーＣＳＩ−ＲＳ伝送及び／又はゼロパワーＣＳＩ−ＲＳがある時、前記リソース要素グループが１つのＯＦＤＭ符号内に位置し、
以下の４種の方式の１つに応じて前記復調参照信号を伝送するＯＦＤＭ符号における前記リソース要素グループのサイズを確定し、ＣＳＩ−ＲＳの最大ポート数とＤＭＲＳ最大ポート数、又はＣＳＩ−ＲＳの実際ポート数とＤＭＲＳの実際ポート数、又はＣＳＩ−ＲＳの最大ポート数とＤＭＲＳの実際ポート数、又はＣＳＩ−ＲＳの実際ポート数とＤＭＲＳの最大ポート数、
或いは、分配されるリソースにリソース要素グループがないと確定される。
【００４４】
前記リソース要素グループのサイズ及び前記分配されるリソースに基づいてリレーリンクにおけるリソース要素グループの数量を確定する。前記方法はさらに、まず時間領域後周波数領域の順序に応じて、前記リソース要素グループを分配されるリソースにマッピングすることを含む。
【００４５】
ＲＥＧのサイズを確定した後、確定されたリソース要素グループに基づいて、本発明はさらにリレーリンクリソース要素グループＲＥＧのマッピング方法を提供し、
リソース要素グループをマッピング要素として、且つまず時間領域後周波数領域の順序に応じて、前記リソース要素グループを分配されるリレーリンク物理ダウンリンク制御チャネルリソースにマッピングすることと、
前記リレーリンク物理ダウンリンク制御チャネルリソースが周波数領域に１つの又は複数の連続或いは離散分布のリソースブロックを含み、時間領域に１つのスロット内のリレーリンク使用可能な直交周波数分割多重（ＯＦＤＭ）符号を含むこととを含む。
【００４６】
上記方法に基づいて、本発明のリレーリンクリソース要素グループを確定する装置は、
前記リソース要素グループが所在の直交周波数分割多重（ＯＦＤＭ）符号における非ゼロパワーチャネル測定参照信号（ＣＳＩ−ＲＳ）パターンを取得するように設置される伝送チャネル測定参照信号取得モジュールと、
前記リソース要素グループが所在の直交周波数分割多重（ＯＦＤＭ）符号におけるチャネル測定参照信号（ＣＳＩ−ＲＳ）のミューティング配置情報を取得し、且つ前記配置情報に基づいてゼロパワーチャネル測定参照信号パターンを確定するように設置されるチャネル測定参照信号ミューティング配置取得モジュールと、
前記リソース要素グループが所在の直交周波数分割多重（ＯＦＤＭ）符号に伝送する共通参照信号（ＣＲＳ）のパターンを取得するように設置される共通参照信号取得モジュールと、
前記リソース要素グループが所在のリソースブロックに伝送する復調参照信号（ＤＭＲＳ）のパターンを取得するように設置される復調参照信号取得モジュールと、
リソース要素グループが所在の直交周波数分割多重（ＯＦＤＭ）符号における非ゼロパワーチャネル測定参照信号（ＣＳＩ−ＲＳ）パターン、及び／又はゼロパワーチャネル測定参照信号（ＣＳＩ−ＲＳ）パターン、及び／又は共通参照信号（ＣＲＳ）のパターン、及び／又はリソース要素グループが所在のリソースブロックに伝送する復調参照信号（ＤＭＲＳ）のパターンに基づいてリソース要素グループのサイズを確定するように設置されるリソース要素グループサイズ確定モジュールとを含む。
【００４７】
前記リソース要素グループサイズ確定モジュールは前記リソース要素グループが所在の直交周波数分割多重（ＯＦＤＭ）符号におけるチャネル測定参照信号（ＣＳＩ−ＲＳ）パターンに基づいて前記リソース要素グループのサイズを確定する時、８ポートのチャネル測定参照信号（ＣＳＩ−ＲＳ）パターンに応じて前記リソース要素グループのサイズを確定することを採用し、
そのうち、前記チャネル測定参照信号（ＣＳＩ−ＲＳ）パターンは前記リソース要素グループが所在のＯＦＤＭ符号における非ゼロパワーＣＳＩ−ＲＳパターン及び／又は所在のＯＦＤＭ符号におけるゼロパワーＣＳＩ−ＲＳパターンである。
【００４８】
前記リソース要素グループサイズ確定モジュールは、前記リソース要素グループが所在のサブフレームが普通サイクリックプレフィックス長さを有し且つ所在のＯＦＤＭ符号に伝送するのが復調参照信号（ＤＭＲＳ）のみある時、実際に伝送するＤＭＲＳパターンに応じてリソース要素グループのサイズを確定し、或いはシングルユーザの４層伝送時のＤＭＲＳパターンに応じてリソース要素グループのサイズを確定し、前記リソース要素グループが所在のサブフレームが拡張サイクリックプレフィックス長さを有し且つ所在のＯＦＤＭ符号に伝送するのが復調参照信号（ＤＭＲＳ）のみある時、実際に伝送するＤＭＲＳパターンに応じてリソース要素グループのサイズを確定する。
【００４９】
前記リソース要素グループが１つのＯＦＤＭ符号内に位置し、前記リソース要素グループが所在のリソースブロックに対応する該前記ＯＦＤＭ符号に伝送する復調参照信号（ＤＭＲＳ）があり、且つ前記ＯＦＤＭ符号にＣＳＩ−ＲＳ伝送があり及び／又はほかのセルのＣＳＩ−ＲＳをミューティングすると、
リソース要素グループサイズ確定モジュールは、以下の方式の１つに応じてリソース要素グループのサイズを確定し、ＣＳＩ−ＲＳの最大ポート数とＤＭＲＳ最大ポート数、又はＣＳＩ−ＲＳの実際ポート数とＤＭＲＳの実際ポート数、又はＣＳＩ−ＲＳの最大ポート数とＤＭＲＳの実際ポート数、又はＣＳＩ−ＲＳの実際ポート数とＤＭＲＳの最大ポート数、
或いは、前記リソース要素グループサイズ確定モジュールは、該ＯＦＤＭ符号内にリソース要素グループがないと確定する。
【００５０】
以下の記述に、便利のために、１つのリソースブロック（ＲＢ）内の１つのＯＦＤＭ符号に対応するリソースを「リソース基礎グループ」と称し、即ち１つのリソース基礎グループは周波数領域で１つのＲＢ内の１２個のサブキャリアを含み、時間領域で１つのＯＦＤＭ符号を含む。このように名づけるのはただ下記実施例の記述を簡便にするだけである。以下、具体的に説明する。
【００５１】
実施例１
本実施例において、リソース基礎グループにいずれの参照信号ＲＳ（Ｒｅｆｅｒｅｎｃｅ Ｓｉｇｎａｌ、即ち、いずれのＣＲＳ、ＤＭＲＳ、非ゼロパワーＣＳＩ−ＲＳ、ゼロパワーＣＳＩ−ＲＳがない）がなく、或いはセル固有参照信号ＣＲＳ（Ｃｅｌｌ−ｓｐｅｃｉｆｉｃ Ｒｅｆｅｒｅｎｃｅ Ｓｉｇｎａｌ、或いは共通参照信号と称され、ＣＲＳと略称される）のみがあると仮定する。このような場合に、ＲＥＧの設計はＲｅｌ−８の規則をそのまま使用でき、即ち、いずれの参照信号ＲＳがない時、ＲＥＧのサイズが４であり、図８における破線間隔左側部分に示すように、即ちＲＥＧのサイズが４つのＲＥであり、リソース基礎グループにＣＲＳのみが存在する時、ＲＥＧのサイズが６であり、図８における破線間隔の右側部分に示すように、且つＣＲＳが１つのみのポートを有する時２ポートＣＲＳの情況に応じて処理し、即ちＣＲＳポート１（ポート番号は０、１）ところで制御チャネルデータをマッピングしない。
【００５２】
実施例２
本実施例において、リソース基礎グループにＣＳＩ−ＲＳマッピングがあると仮定する。ここで言われたＣＳＩ−ＲＳは、本セルに送信されたＣＳＩ−ＲＳであってもよいし、或いはミューティング（ｍｕｔｉｎｇ）が配置された本セルのＣＳＩ−ＲＳであってもよい。実際のＲＥＧ設計に、常時にＣＳＩ−ＲＳの最大ポートと仮定する方式を採用することができる。
【００５３】
常時にＣＳＩ−ＲＳの最大ポートと仮定するのとは、本セルに送信されたＣＳＩ−ＲＳ（即ち、非ゼロパワーＣＳＩ−ＲＳ）であれば、実際にＣＳＩ−ＲＳを配置伝送するのは１、２又は４ポートである可能性があるが、常時に８ポートのＣＳＩ−ＲＳパターンに応じてＲＥＧの設計を行い、即ち、ＲＥＧを設計する時に８ポートＣＳＩ−ＲＳが占めるＲＥを取り除くのを考慮することであり、
本セルがｍｕｔｉｎｇ（即ちゼロパワーＣＳＩ−ＲＳがある）するように配置されれば、ｍｕｔｉｎｇが４ポートＣＳＩ−ＲＳパターンに応じて配置される可能性があるが、常時に８ポートのＣＳＩ−ＲＳパターンに応じてＲＥＧ設計を行う。例えば、図４の左側部分に示す５つの８ポートＣＳＩ−ＲＳパターンに対して、あるＣＳＩ−ＲＳパターンにおいてＲＥがＣＳＩ−ＲＳ伝送に用いられれば或いは前記ＲＥところでｍｕｔｉｎｇするように配置されれば、ＲＥＧを設計する時、該ＣＳＩ−ＲＳパターンが占めるＲＥの全部が取り除かれ、即ちＲＥＧデータのマッピングに用いられない。
【００５４】
リソース基礎グループが所在のＯＦＤＭ符号に伝送するＣＳＩ−ＲＳ（即ち非ゼロパワーＣＳＩ−ＲＳ）或いは配置されるｍｕｔｉｎｇ（即ちゼロパワーＣＳＩ−ＲＳ）に対応する８ポートＣＳＩ−ＲＳパターンは合計で１つある時、ＣＳＩ−ＲＳポートが最大であると仮定する前提の下で剰余の８つのＲＥが使用可能で、それでＲＥＧのサイズを６に設計することができ。以下、対応の８ポートＣＳＩ−ＲＳパターンが合計で１つある意味を解釈する。例えば、サブフレームが通常ＣＰを有する時、本セルによりＣＳＩ−ＲＳを伝送するのが８ポートであり、且つｍｕｔｉｎｇすることがなく、対応の８ポートＣＳＩ−ＲＳパターンが１つあり、或いは本セルによりＣＳＩ−ＲＳを伝送するのが４ポートであり、例えば図５のＣＳＩ−ＲＳパターン２であり、且つパターン２が所在のＯＦＤＭ符号にＣＳＩ−ＲＳを配置するｍｕｔｉｎｇがないと、伝送するＣＳＩ−ＲＳパターンが１つの８ポートＣＳＩ−ＲＳパターン、即ち、図４のＣＳＩ−ＲＳパターン２に対応し、或いは本セルによりＣＳＩ−ＲＳを伝送するのが４ポートであり、例えば図５のＣＳＩ−ＲＳパターン１であり、同時に該セルにおいてＣＳＩ−ＲＳパターン６に対応するＲＥところでｍｕｔｉｎｇが配置され、即ち同時にＣＳＩ−ＲＳ伝送とＣＳＩ−ＲＳのｍｕｔｉｎｇ配置があるが、伝送するＣＳＩ−ＲＳとｍｕｔｉｎｇのＲＥに対応する８ポートＣＳＩ−ＲＳパターンが１つのみあり、即ち図４のＣＳＩ−ＲＳパターン１である。他の情況は順次に類推する。拡張ＣＰ長さの時同様にする。上記の場合に、該リソース基礎グループのいずれもが８つのＲＥを剰余してＲＥＧデータのマッピングに用いられ、図９に示す。そのうち、破線左側部分における３つのリソース基礎グループは通常ＣＰ長さの時に確定されたＲＥＧを表し、破線右側部分における３つのリソース基礎グループは拡張ＣＰ長さの時に確定されたＲＥＧを表す。図９における
0005759554.tif 000004
充填領域はＣＳＩ−ＲＳの１つのリソース基礎グループでのパターンを表し、楕円形は楕円形に囲まれたＲＥが１つのＲＥＧに対応するのを表す。
【００５５】
リソース基礎グループが所在のＯＦＤＭ符号に伝送するＣＳＩ−ＲＳ及び／又はｍｕｔｉｎｇのＲＥに対応する８ポートＣＳＩ−ＲＳパターンは合計で２つある時、ＣＳＩ−ＲＳポートが最大であると仮定する前提の下で剰余の４つのＲＥが使用可能で、それでＲＥＧサイズの１２に設計することができ、即ち１つのリソース基礎グループは１つのＲＥＧであり、図１０に示す。そのうち、左側部分における３つのリソース基礎グループは通常ＣＰ時の情況を表し、右側部分における３つのリソース基礎グループは拡張ＣＰ時の情況を表す。図における同一の図案充填は同一の８ポートＣＳＩ−ＲＳパターン
（
0005759554.tif 000005
と
0005759554.tif 000006
）に属する。いわゆる対応の８ポートＣＳＩ−ＲＳパターンが合計で２つあることの意味は、前一段における対応の８ポートＣＳＩ−ＲＳパターンが１つあるという記述に基づいて類推ことができ、ここで贅言しない。
【００５６】
拡張ＣＰの事情の下で、リソース基礎グループが所在のＯＦＤＭ符号に伝送するＣＳＩ−ＲＳ及び／又はｍｕｔｉｎｇに対応する８ポートＣＳＩ−ＲＳパターンは合計で２つある時、該リソース基礎グループにＲＥＧをマッピングしなくてもよい。あるデータ伝送モード（例えば送信ダイバーシチであり、ＬＴＥダウンリンクに主に周波数−空間ブロック符号、Ｓｐａｃｅ−Ｆｒｅｑｕｅｎｃｙ Ｂｌｏｃｋｉｎｇ Ｃｏｄｅと指し、ＳＦＢＣと略称される）に対して、その復号アルゴリズムが隣接変調符号のチャネル応答に平均を求める可能性があり、拡張ＣＰの下でＲＥＧ使用可能なリソースの周波数領域での間隔が大きく（図１０における右の３つのリソース基礎グループは、２つのＲＥを間隔する）、即ち隣接変調符号のチャネル応答の差別が大きい場合があり、平均を求めるとデータ復調性能に影響する可能性があるためである。従って、拡張ＣＰの下で、リソース基礎グループが所在のＯＦＤＭ符号に伝送するＣＳＩ−ＲＳ及びｍｕｔｉｎｇに対応する８ポートＣＳＩ−ＲＳパターンは合計で２つある時、このようなリソース基礎グループにＲＥＧがないと規定してもよい。
【００５７】
ＲＥＧ基礎グループが所在のＯＦＤＭ符号に伝送するＣＳＩ−ＲＳ及びｍｕｔｉｎｇに対応する８ポートＣＳＩ−ＲＳパターンは合計で３つある時、本実例仮定の下でＲＥＧデータマッピングに用いられるＲＥがないため、このようなリソース基礎グループにＲＥＧがない。
【００５８】
実施例３
本実施例はリソース基礎グループにＤＭＲＳが存在する情況を考慮する。制御と業務が同一の物理リソースブロック対（ＰＲＢ ｐａｉｒ）に多重化して伝送する可能性がるため、リソース基礎グループには業務データの復調に用いられるＤＭＲＳが存在する可能性がある。リソース基礎グループにＤＭＲＳが存在する時、該リソース基礎グループの中のＲＥＧの設計はＤＭＲＳが占めるＲＥを考慮すべき、この両者の相互衝突を避ける。実際のＲＥＧ設計において、２種類の方式があり、３.１と３.２に記述する。
【００５９】
３.１ 常時にＤＭＲＳポート数が最大であると仮定する
ＤＭＲＳは業務データの復調に用いられ、その伝送ポート数（或いは層数と称される）が実際のデータ伝送層数と一致する。常時にＤＭＲＳの最大ポートと仮定するのとは、実際に伝送するＤＭＲＳポート数が２の以下である可能性があるが、常時にＤＭＲＳポート数が２より大きいパターンに応じて仮定にＲＥＧの設計を行う。例えば、サブフレームが通常ＣＰ長さを有する場合に、ＤＭＲＳが２ポート伝送であると仮定し、図７における左側部分
0005759554.tif 000007
充填で表されるＤＭＲＳパターンを使用し、即ちＤＭＲＳを含むリソース基礎グループにおけるＤＭＲＳのオーバーヘッドは３つのＲＥであるが、ＲＥＧを設計する時、
0005759554.tif 000008
と
0005759554.tif 000009
充填で表されるＤＭＲＳパターンを採用すると仮定し、即ち、ＤＭＲＳを含むリソース基礎グループにおけるＤＭＲＳのオーバーヘッドは６つのＲＥであると仮定する。
【００６０】
該仮定の下で、サブフレームが通常ＣＰ長を有する時、ＤＭＲＳ伝送があるリソース基礎グループにおいてＤＭＲＳ以外の剰余ＲＥが２つのＲＥＧの制御データをベアリングできないため、ＲＥＧのサイズを１２に設計し、即ちリソース基礎グループ全体は１つのＲＥＧである。このようにして、ＲＥＧをマッピングした後、各リソース基礎グループに２つの空きＲＥがあり、図１２における
0005759554.tif 000010
充填に示す。そのうち、
0005759554.tif 000011
充填は１つのリソース基礎グループにおけるＤＭＲＳパターンを表す。ここで記述している空きの２つのＲＥ
0005759554.tif 000012
の位置がただ模式的であると理解されるべきである。
【００６１】
該仮定の下で、サブフレームが拡張ＣＰ長さを有する時、従来にＲｅｌ−１０のＤＭＲＳが最大で２ポート伝送のみをサポートし、即ち、伝送層数が異なる時にＤＭＲＳオーバーヘッドが異なる情況が存在しない。ＤＭＲＳの以外、各リソース基礎グループにはＲＥＧをベアリングできるＲＥが８つあるため、ＲＥＧのサイズを６つの連続のＲＥサイズに設計し、図１２における破線間隔の右側部分に示す。
【００６２】
常時にＤＭＲＳのポート数が最大であると仮定すると、ＤＭＲＳが存在する時にＲＥＧのサイズがＤＭＲＳポート数の変化につれて変化することを避け、ブラインド検出の複雑度が高くなることを避け、送信端と受信端で簡単に処理する。
【００６３】
３.２ 実際ＤＭＲＳポートに応じて処理する
サブフレームが通常ＣＰ長さを有する時、実際のＤＭＲＳポート数に応じて処理してもよい。伝送のＤＭＲＳポート数が２の以下である時、ＤＭＲＳがマッピングされたリソース基礎グループにおいてＤＭＲＳが３つのＲＥを占用し、即ち、依然としてＲＥＧデータマッピングに用いることができるＲＥが９つあり、このような場合に該ＲＥＧ基礎グループにおけるＲＥＧを６つの連続ＲＥのサイズに設計することができ、図１３に示す。このような場合に、１つのＲＥがデータ伝送に占用されなく、図１３の
0005759554.tif 000013
充填に示す。ここで記述している空きの１つのＲＥ
0005759554.tif 000014
の位置がただ模式的であると理解されるべきである。
【００６４】
伝送のＤＭＲＳポート数が２より大きい時、ＤＭＲＳがマッピングされたリソース基礎グループにおけるＤＭＲＳが６つのＲＥを占用し、このような場合に本実施例３.１部分の記述に応じてＲＥＧを設計することができ、図１２の左側部分に示す。
【００６５】
実際ＤＭＲＳポート数に応じてＲＥＧを確定するのは、サブフレームが通常ＣＰ長さを有する時にリソースの利用率を向上させ、リソース浪費を避けることができる。
【００６６】
実施例４
本実施例はリソース基礎グループに同時にＣＳＩ−ＲＳとＤＭＲＳが存在する情況を考慮する。制御と業務が同一の物理リソースブロック対（ＰＲＢ ｐａｉｒ）に多重化して伝送する可能性がるため、リソース基礎グループには業務データの復調に用いられるＤＭＲＳが存在する可能性がある。同時に、該サブフレームにＣＳＩ−ＲＳ伝送がある可能性もあり、ここで記述しているＣＳＩ−ＲＳ伝送がｍｕｔｉｎｇの配置も含む。リソース基礎グループに同時にＣＳＩ−ＲＳとＤＭＲＳが存在する時、該リソース基礎グループにおけるＲＥＧの設計はＣＳＩ−ＲＳとＤＭＲＳが占用するＲＥを考慮すべき、参照信号とＲＥＧデータの相互衝突を避ける。実際にＲＥＧのサイズを確定する時、２種類の方式があり、４.１と４.２の両部分に記述する。
【００６７】
４.１ 常時にＣＳＩ−ＲＳのポート数が最大であると仮定する
常時にＣＳＩ−ＲＳの最大ポートと仮定するのは、実施例２に記述するように、本セルにより送信されるＣＳＩ−ＲＳであれば、ＣＳＩ−ＲＳを配置伝送するのは１、２又は４ポートである可能性があるが、常時に８ポートのＣＳＩ−ＲＳパターンに応じてＲＥＧの確定を行い、本セルがｍｕｔｉｎｇするように配置されれば、ｍｕｔｉｎｇが４ポートのＣＳＩ−ＲＳパターンに応じて配置される可能性があるが、常時に８ポートのＣＳＩ−ＲＳパターンに応じてＲＥＧの確定を行うことと指す。即ち、ＲＥＧのサイズを確定する時、８ポートＣＳＩ−ＲＳが占めるＲＥを取り除くのを考慮する。ＤＭＲＳに対しても、２種類の処理方式がある。
【００６８】
４.１−１ 常時にＤＭＲＳのポート数が最大であると仮定する
即ち、前述実施例３に記述するように、サブフレームが通常ＣＰ長さを有する時、リソース基礎グループにＤＭＲＳを含む時、常時にＤＭＲＳ伝送の層数が２よりおおきく、即ち該リソース基礎グループに６つのＲＥを占用すると仮定し。同時にＣＳＩ−ＲＳのポート数が最大であると仮定する前提で、同時にＣＳＩ−ＲＳとＤＭＲＳがマッピングされたリソース基礎グループにおいてＲＳの以外に２つのＲＥを剰余し、即ち、１つのＲＥＧのデータをマッピングするのに足りない。このような場合に該リソース基礎グループにＲＥＧをマッピングしない。
【００６９】
サブフレームが拡張ＣＰ長さを有する時、従来にＲｅｌ−１０のＤＭＲＳが最大で２ポート伝送のみをサポートし、即ち、伝送層数が異なる時にＤＭＲＳオーバーヘッドが異なる情況が存在しなく、ＤＭＲＳの１つのリソース基礎グループでのオーバーヘッドが４つのＲＥである。常時にＣＳＩ−ＲＳのポート数が最大であると仮定する前提で、リソース基礎グループに伝送するＣＳＩ−ＲＳ或いはｍｕｔｉｎｇのＲＥに対応する８ポートＣＳＩ−ＲＳパターンは１つのみあれば、該リソース基礎グループにまた４つのＲＥがあってＲＥＧに用いられるため、ＲＥＧのサイズを１２に設計することができ、即ち１つのリソース基礎グループは１つのＲＥＧであり、図１４に示す。そのうち、
0005759554.tif 000015
充填はＤＭＲＳパターンを表し、
0005759554.tif 000016
充填はＣＳＩ−ＲＳパターンを表す。
【００７０】
上記場合に、該リソース基礎グループにＲＥＧをマッピングしなくてもよく、実施例２に記述する。リソース基礎グループが所在のＯＦＤＭ符号に伝送するＣＳＩ−ＲＳとｍｕｔｉｎｇのＲＥに対応する８ポートＣＳＩ−ＲＳパターンは合計で２つある時、ＣＳＩ−ＲＳのポートが最大であり及びＤＭＲＳのポートが最大であると仮定する前提でＲＥＧデータ伝送に用いられるＲＥがないため、このようなリソース基礎グループにＲＥＧマッピングがない。
【００７１】
４.１−２ 実際ＤＭＲＳポート数に応じて処理する
即ち、前述実施例３に記述するように、サブフレームが通常ＣＰ長さを有する時、リソース基礎グループにＤＭＲＳを含む場合に、ＤＭＲＳはそのポート数が異なることに基づいて占用するＲＥ数が異なり、ＤＭＲＳ伝送ポート数が２の以下である時、ＤＭＲＳを含むリソース基礎グループにおけるＤＭＲＳオーバーヘッドが３つのＲＥであり、ＤＭＲＳ伝送ポート数が２より大きい時、ＤＭＲＳを含むリソース基礎グループにおけるＤＭＲＳオーバーヘッドが６つのＲＥである。
【００７２】
ＣＳＩ−ＲＳのポート数が最大であると仮定する前提で、ＤＭＲＳ伝送ポート数が２の以下である時、同時にＣＳＩ−ＲＳとＤＭＲＳがマッピングされたリソース基礎グループにおいてＲＳの以外に５つのＲＥを剰余し、１つのＲＥＧのデータをマッピングすることができ、即ち、ＲＥＧのサイズを１２個のＲＥに確定し、図１５（そのうち、
0005759554.tif 000017
充填はＤＭＲＳパターンを表し、
0005759554.tif 000018
充填はＣＳＩ−ＲＳパターンを表し、
0005759554.tif 000019
充填は該ＲＥがデータをマッピングしないことを表す）に示し、ＤＭＲＳ伝送ポート数が２より大きい時、同時にＣＳＩ−ＲＳとＤＭＲＳがマッピングされたリソース基礎グループにおいてＲＳの以外に３つのＲＥを剰余し、即ち剰余のＲＥが１つのＲＥＧのデータをマッピングするのに足りなく、このような場合に該リソース基礎グループにＲＥＧをマッピングしない。
【００７３】
４.２ 実際ＣＳＩ−ＲＳポート数に応じて処理する
ＣＳＩ−ＲＳ伝送の真実ポート数に基づいてＲＥＧのサイズを確定してもよい。ここで言われたＣＳＩ−ＲＳ伝送の真実ポート数はｍｕｔｉｎｇが配置される時にｍｕｔｉｎｇのＲＥに対応するＣＳＩ−ＲＳパターンのポート数も含む。リソース基礎グループに同時にＤＭＲＳが存在する時、２種類の処理方式がある。
【００７４】
４.２−１ 常時にＤＭＲＳのポート数が最大であると仮定する
換言すれば、サブフレームが通常ＣＰ長さを有する時、リソース基礎グループにＤＭＲＳを含む場合に、常時にＤＭＲＳ伝送のポート数が２より大きいと仮定し、即ちＤＭＲＳは該リソース基礎グループに６つのＲＥを占用する。該リソース基礎グループに同時にＣＳＩ−ＲＳが存在し且つ実際ＣＳＩ−ＲＳポート数に応じてＲＥＧを確定する前提で、具体的な原則は、リソース基礎グループにおけるＲＥＧのサイズが各ＲＥＧに４つの有効なＲＥをベアリングさせることができるのを保証すべき、且つ浪費のＲＥ数ができるだけ少ないと総括することができる。ＣＳＩ−ＲＳ伝送ポート数が１、２或いは４である時、リソース基礎グループにおいてＣＳＩ−ＲＳが１つの或いは２つのＲＥを占用し、ＤＭＲＳの６つのＲＥのオーバーヘッドを加えて、リソース基礎グループにおいてまた５つ或いは４つの使用可能なＲＥを剰余し、この時、ＲＥＧのサイズを１２に設計することができ、図１６（それぞれＣＳＩ−ＲＳが２ポート或いは４ポートで伝送される時のリソース占用情況を表し、
0005759554.tif 000020
充填図案はＤＭＲＳパターンを表し、
0005759554.tif 000021
充填はＣＳＩ−ＲＳパターンを表し、
0005759554.tif 000022
充填は該ＲＥがデータをマッピングしないことを表す）に示す。ＣＳＩ−ＲＳ伝送ポート数或いはｍｕｔｉｎｇのＲＥに対応するＣＳＩ−ＲＳパターンポート数が８である時、該リソース基礎グループにＲＥＧをマッピングしない。
【００７５】
サブフレームが拡張ＣＰ長さを有する時、従来にＲｅｌ−１０のＤＭＲＳが最大で２ポート伝送のみをサポートし、即ち伝送層数が異なる時にＤＭＲＳオーバーヘッドが異なる情況が存在しなく、ＤＭＲＳの１つのリソース基礎グループでのオーバーヘッドが４つのＲＥである。実際ＣＳＩ−ＲＳポート数に応じてＲＥＧを確定する前提で、ＲＥＧサイズの確定原則は、ＲＥＧのサイズが各ＲＥＧに４つの有効なＲＥをベアリングさせるのを保証すべき、且つ浪費のＲＥ数ができるだけ少ないと総括することができる。具体的に、ＲＥＧが所在のＯＦＤＭ符号に対して、該ＯＦＤＭ符号が１つのＲＢのリソース内で、伝送するＣＳＩ−ＲＳが占用するＲＥがＮ１個で、ｍｕｔｉｎｇのＲＥがＮ２個で、ＤＭＲＳオーバーヘッドがＮ３個であると仮定し、４<Ｎ１+Ｎ２+Ｎ３≦８である時、ＲＥＧのサイズが１２で、Ｎ１+Ｎ２+Ｎ３>８である時、該リソース基礎グループにＲＥＧマッピングがない、そのうち、Ｎ３=４である。
【００７６】
例えば、サブフレームが拡張ＣＰを有する時、あるリソース基礎グループ内に、４ポートＣＳＩ−ＲＳ伝送を配置し、且つ該ＣＳＩ−ＲＳが所在のＯＦＤＭ符号内に、同時にｍｕｔｉｎｇを配置し、前記ｍｕｔｉｎｇのＲＥに対応するＣＳＩ−ＲＳパターンも４ポートであると仮定し、図１７に示すように、
0005759554.tif 000023
充填は本セルにより伝送される４ポートＣＳＩ−ＲＳが所在のＲＥを表し、
0005759554.tif 000024
充填はカレントのセルによりｍｕｔｉｎｇされるＲＥを表し、即ち本セルは
0005759554.tif 000025
ところでいずれの情報を送信しなく、
0005759554.tif 000026
充填はＤＭＲＳがＲＥを占用することを表す。このようにして、本セルＣＳＩ−ＲＳが占用するＲＥ、ｍｕｔｉｎｇ他のセルＣＳＩ−ＲＳが占用するＲＥ、及びＤＭＲＳが占用するＲＥの以外に、図１７に示すリソース基礎グループに４つの使用可能なＲＥを剰余し、本発明方法に応じてＲＥＧのサイズを１２に設計することができ、即ち、該リソース基礎グループに１つのＲＥＧがあり、図１７の楕円に示す。
【００７７】
４.２−２ 実際ＤＭＲＳポートに応じて処理する
即ち、ＤＭＲＳとＣＳＩ−ＲＳが実際に占用するＲＥ数に応じてＲＥＧ設計を行う。ＲＥＧ設計原則は、ＲＥＧのサイズが各ＲＥＧに４つの有効なＲＥをベアリングさせることができるのを保証すべき、且つ浪費のＲＥ数ができるだけ少ないと総括することができる。具体的に、１つのリソース基礎グループ内に、伝送するＣＳＩ−ＲＳが占用するＲＥがＮ１個で、ｍｕｔｉｎｇのＲＥがＮ２個で、ＤＭＲＳオーバーヘッドがＮ３個であると仮定し、０<Ｎ１+Ｎ２+Ｎ３≦４である時、ＲＥＧサイズが６で、４<Ｎ１+Ｎ２+Ｎ３≦８である時、ＲＥＧサイズが１２で、Ｎ１+Ｎ２+Ｎ３>８である時、該リソース基礎グループにＲＥＧマッピングがない。
【００７８】
例えば、サブフレームが通常ＣＰ長さを有し、リソース基礎グループに同時にＣＳＩ−ＲＳとＤＭＲＳが存在し、且つＣＳＩ−ＲＳが４ポートで、ＤＭＲＳも４ポートであると仮定し、図１８に示すように、このようにして１つのリソース基礎グループに４つの使用可能なＲＥを剰余し、該リソース基礎グループにおけるＲＥＧのサイズを１２個のＲＥサイズに設計することができる。図における
0005759554.tif 000027
はＤＭＲＳが占用するＲＥを表し、
0005759554.tif 000028
はＣＳＩ−ＲＳが占用するＲＥを表す。ここで言われたＣＳＩ−ＲＳは本セルにより伝送されるＣＳＩ−ＲＳであってもよいし、或いは本セルにより配置されるｍｕｔｉｎｇのＲＥであってもよい。
【００７９】
例えば、サブフレームが拡張ＣＰ長さを有し、リソース基礎グループに同時にＣＳＩ−ＲＳとＤＭＲＳが存在し、伝送するＣＳＩ−ＲＳ及びｍｕｔｉｎｇするＣＳＩ−ＲＳを含み、且つこの２つのＣＳＩ−ＲＳがいずれも４ポートであり、ＤＭＲＳが２ポートであると仮定し、図１９に示すように、このようにして１つのリソース基礎グループにおいてＣＳＩ−ＲＳ、ＤＭＲＳ及びｍｕｔｉｎｇのＲＥの以外に４つの使用可能なＲＥを剰余し、該リソース基礎グループにおけるＲＥＧのサイズを１２個のＲＥサイズに設計することができる。図における
0005759554.tif 000029
はＤＭＲＳが占用するＲＥを表し、
0005759554.tif 000030
は本セルＣＳＩ−ＲＳが占用するＲＥを表し、
0005759554.tif 000031
充填はカレントのセルによりｍｕｔｉｎｇされるＲＥを表し、即ち本セルが
0005759554.tif 000032
ところでいずれの情報を送信しない。
【００８０】
ＣＳＩ−ＲＳとＤＭＲＳが并存する時、上記４種類のリソース要素グループを確定する方式の以外に、分配されるリソース内でリソース要素グループがないと確定することもでき、即ちリソース要素グループのマッピングを行わない。
【００８１】
実施例５
本実施例はＲＥＧのマッピング方法を提供する。本実施例のＲＥＧに４つの変調符号をマッピングでき、このような４つの変調符号は１つの四元グループを構成する。ＲＥＧのサイズは４つ、６つ或いは１２個のＲＥのサイズである可能性があるが、１つのみの四元グループをマッピングできる。
【００８２】
本実施例に係るマッピング方式は、リソース要素グループＲＥＧがリレー物理ダウンリンク制御チャネルにより分配されるリソース内で、まず時間領域後周波数領域の順序に応じてリソースマッピングを行う。ここで言われたリレー物理ダウンリンク制御チャネルにより分配されるリソースは、周波数領域にいくつかの連続或いは離散分布のリソースブロックを含み、時間領域に１つのスロット内のリレーリンクに用いられるＯＦＤＭ符号を含む。
【００８３】
例えば、サブフレームの第１のスロットにおいて第３〜第６のＯＦＤＭ符号である可能性があり、サブフレームの第２个スロットにおいて第０〜第６或いは第０〜第５のＯＦＤＭ符号である可能性があり、ＯＦＤＭ符号の各スロットでの番号は０〜６である。
【００８４】
ここで言われたリレー物理ダウンリンク制御チャネルにより分配されるリソースは各スロットで複数ある可能性があり、即ち各スロットにリレー物理ダウンリンク制御チャネルをマッピングするリソースがＮグループに分けられ、各グループ内にそれぞれＲＥＧマッピングを行い、そのうち、Ｎ≧１である。以下、特別に説明しなければ、言われたリレー物理ダウンリンク制御チャネルのリソースはいずれもこのような１つのグループを指す。
【００８５】
図２０の破線左側部分に示すのは１つのＲＢ内のＲＳ分布模式図である。
0005759554.tif 000033
はＣＳＩ−ＲＳ伝送とｍｕｔｉｎｇ配置が占用するＲＥを表し、
0005759554.tif 000034
はＣＲＳ伝送が占用するＲＥを表す。このようにして、図２０に示すＲＢ内に合計で１３個のＲＥＧを含む。ただし、ここでのＲＳの分布はただ本発明に記述するＲＥＧマッピング方法を説明するためであり、このような１種類の分布方式のみがあることを表れないものである。
【００８６】
以下、図２０を例として、まず時間領域後周波数領域のマッピング順序を具体的に解釈する。具体的なアルゴリズムは表１に示す。表１において、
0005759554.tif 000035
はＲＥＧ索引を表し、Ｍはリレー物理ダウンリンク制御チャネルリソースにマッピングするＲＥＧの数を表す。
0005759554.tif 000036
は周波数領域サブキャリア索引を表し、即ち
0005759554.tif 000037
はリレー物理ダウンリンク制御チャネルリソースの開始サブキャリア番号で、
0005759554.tif 000038
はリレー物理ダウンリンク制御チャネルリソースの終了サブキャリア番号である。
0005759554.tif 000039
は時間領域ＯＦＤＭ符号索引を表し、本例に
0005759554.tif 000040
は開始ＯＦＤＭ符号番号を表し、
0005759554.tif 000041
は終了ＯＦＤＭ符号番号を表す。
表１における
0005759554.tif 000042
はリレー物理ダウンリンク制御チャネル伝送のアンテナポート番号を表し、即ちリレー物理ダウンリンク制御チャネルがマルチアンテナ伝送（例えば、送信ダイバーシチの伝送方式を採用する）できる。
ステップ４）におけるリソース要素
0005759554.tif 000043
が１つのＲ−ＰＤＣＣＨに分配するＲＥＧを代表するのとは、該
0005759554.tif 000044
がＲＥＧの開始ＲＥであることであり、即ち、該ＲＥＧを構成する各ＲＥにおける周波数領域索引が最小のＲＥである。
表１  ＲＥＧリソースマッピング示例
0005759554.tif 000045
【００８７】
表１に示すまず時間領域後周波数領域のマッピング方法に応じて、確定した図２０に示すＲＥＧのマッピング順序は図２０における破線右側部分のＲＥＧの記号に示す。
【００８８】
本分野の普通技術者は前記方法における全部或いは一部ステップがプログラムによって関係ハードウェアを指令して完成できることを理解することができ、前記プログラムがコンピューターの読み取り可能な記憶媒体、例えば、ROM、ディスク又は光ディスクなどに記憶することができる。選択可能的に、上記実施例の全部或いは一部ステップは1つ又は複数の集積回路で実現してもよい。相応的に、前記実施例における各モジュール／ユニットはハードウェアの形式で実現してもよく、ソフトウェア機能モジュールの形式で実現してもよい。本発明はいずれの特定形式のハードウェアとソフトウェアの結合に限定されない。
【００８９】
以上の実施例はただ本発明の技術案を説明することに用いられ、制限されるものではなく、好ましい実施例のみを参照して本発明を詳しく説明する。本分野の普通技術者は、本発明の技術案に対して修正或いは同等置き換を行うことができて、本発明技術案の精神と範囲を離脱しなく、本発明の請求項範囲に含まれるべきであると理解すべきである。
【産業上の利用可能性】
【００９０】
上記実施形態はリレーリンクリソース要素グループの確定とマッピング問題を解決し、リレーリンクがダウンリンク制御情報を伝送する時、直接に前記ＲＥＧに応じて制御情報をベアリングすればよい。本発明に記述するＲＥＧ設計はリレーリンクにＣＲＳ、ＣＳＩ−ＲＳ及びＤＭＲＳが存在する時のＲＥＧの設計を十分に考慮し、且つ従来のプロトコルへの変更が小さく、よりよい後方互換性を有し、リレーリンクダウンリンク制御情報の送信問題を解決することができる。
【図１】
0005759554.tif 000046
【図２】
0005759554.tif 000047
【図３】
0005759554.tif 000048
【図４】
0005759554.tif 000049
【図５】
0005759554.tif 000050
【図６】
0005759554.tif 000051
【図７】
0005759554.tif 000052
【図８】
0005759554.tif 000053
【図９】
0005759554.tif 000054
【図１０】
0005759554.tif 000055
【図１１】
0005759554.tif 000056
【図１２】
0005759554.tif 000057
【図１３】
0005759554.tif 000058
【図１４】
0005759554.tif 000059
【図１５】
0005759554.tif 000060
【図１６】
0005759554.tif 000061
【図１７】
0005759554.tif 000062
【図１８】
0005759554.tif 000063
【図１９】
0005759554.tif 000064
【図２０】
0005759554.tif 000065